(57)【要約】【課題】レンズの強度を維持すると共に、薄型化できる照明装置のケース及び照明装置を提供する。【解決手段】内部に配置した平面型放電管１３から発せられる光をその一部から透過して照明を行う照明装置１１のケース１２であって、一方に開口部を有する箱状のハウジング１７と、ハウジング１７の開口部に装着される枠状の枠体２６と、枠体２６内に装着されると共に透光性を有する平板状のレンズ２７とを備え、レンズ２７の略全周にリブ７４，７５を形成した。【選択図】      図２
2006114393.tif 000002
【特許請求の範囲】
【請求項１】
内部に配置した発光体から発せられる光をその一部から透過して照明を行う照明装置のケースであって、
一方に開口部を有する箱状のハウジングと、
前記ハウジングの開口部に装着される枠状の枠体と、
前記枠体内に装着されると共に透光性を有する平板状のレンズとを備え、
前記レンズの外周の全周又は略全周にリブを設けたことを特徴とする照明装置のケース。
【請求項２】
前記レンズ及び前記枠体のうち少なくとも一方は弾性変形可能に形成されており、
前記レンズは、矩形となるように形成されており、
前記枠体は、前記レンズの形状に対応した矩形枠状に形成されると共にその内側に内側壁を備え、
前記レンズの各辺にそれぞれ対応する位置に設けられた前記リブの外側面には、係止突部をそれぞれ備え、
前記枠体の内側壁には、前記各係止突部をそれぞれ係止することにより該枠体から前記レンズが外れることを抑制する係止部が設けられていることを特徴とする請求項１に記載の照明装置のケース。
【請求項３】
前記係止部は、前記内側壁を貫通するように形成された貫通孔の周縁部である貫通孔周縁部を備え、
前記係止突部の基端側は、前記貫通孔内に配置され、
前記貫通孔内にその基端側が配置された係止突部は、その先端部が前記貫通孔の穴径よりも幅広い部分を有すると共に前記貫通孔周縁部に係止する幅広部とされていることを特徴とする請求項２に記載の照明装置のケース。
【請求項４】
前記レンズは、長方形板状に形成され、一対の短辺及び一対の長辺を備え、
前記幅広部を備えた係止突部を、前記長辺に対応する位置に設けた前記リブにおける長辺の中央部又は長辺の中央付近に設けたことを特徴とする請求項３に記載の照明装置のケース。
【請求項５】
前記複数の係止突部のうち少なくとも一つの係止突部には、その先端面と前記ハウジング側の側面とがなす角部に円弧面又は面取り状の斜面が設けられていることを特徴とする請求項３又は請求項４に記載の照明装置のケース。
【請求項６】
請求項１乃至請求項５のうちいずれか１項に記載の照明装置のケースと、
該照明装置のケースの内部に配置された発光体とを備えたことを特徴とする照明装置。
【発明の詳細な説明】
【技術分野】
【０００１】
本発明は、例えば車両用照明装置、家庭用照明装置、照明看板等の照明装置のケース及び照明装置に関するものである。
【背景技術】
【０００２】
従来、蛍光管を用いて照明を行う照明装置が知られている。この照明装置は、例えば車両内の天井に備え付けられ、車両のドアが開いた場合や、ユーザがスイッチをオン操作した場合に蛍光管が点灯するようになっている。この種の照明装置は、ケースと、そのケースに内蔵された前記蛍光管とを備えている。ケースは、一側面が開口した箱状のハウジングと、ハウジングの開口に装着された四角枠状の枠体と、その枠体内に装着され突出状態となるように湾曲したレンズとを備えている。このレンズは、透明又は半透明に形成されており、透光性を有している。蛍光管から発せられる光は、このレンズを透過して照明として利用される。
【特許文献１】特開２００３−３３１６１８号公報
【発明の開示】
【発明が解決しようとする課題】
【０００３】
ところが、上記照明装置は、レンズが突出状態となるように湾曲しているため、その分、ケースの高さが高くなり、この結果、照明装置の厚みが厚くなってしまうという問題があった。ところで、特許文献１には、四角板状のレンズを備えた照明装置が示されているが、このレンズは、四角板状に形成されていることから強度が弱くなってしまうという問題があった。
【０００４】
本発明は、前述した事情に鑑みてなされたものであって、その目的はレンズの強度を維持すると共に、薄型化できる照明装置のケース及び照明装置を提供することにある。
【課題を解決するための手段】
【０００５】
上記目的を達成するために、請求項１に記載の発明は、内部に配置した発光体から発せられる光をその一部から透過して照明を行う照明装置のケースであって、一方に開口部を有する箱状のハウジングと、前記ハウジングの開口部に装着される枠状の枠体と、前記枠体内に装着されると共に透光性を有する平板状のレンズとを備え、前記レンズの外周の全周又は略全周にリブを設けた。
【０００６】
請求項２に記載の発明は、請求項１に記載の発明において、前記レンズ及び前記枠体のうち少なくとも一方は弾性変形可能に形成されており、前記レンズは、矩形となるように形成されており、前記枠体は、前記レンズの形状に対応した矩形枠状に形成されると共にその内側に内側壁を備え、前記レンズの各辺にそれぞれ対応する位置に設けられた前記リブの外側面には、係止突部をそれぞれ備え、前記枠体の内側壁には、前記各係止突部をそれぞれ係止することにより該枠体から前記レンズが外れることを抑制する係止部が設けられている。
【０００７】
請求項３に記載の発明は、請求項２に記載の発明において、前記係止部は、前記内側壁を貫通するように形成された貫通孔の周縁部である貫通孔周縁部を備え、前記係止突部の基端側は、前記貫通孔内に配置され、前記貫通孔内にその基端側が配置された係止突部は、その先端部が前記貫通孔の穴径よりも幅広い部分を有すると共に前記貫通孔周縁部に係止する幅広部とされている。
【０００８】
請求項４に記載の発明は、請求項３に記載の発明において、前記レンズは、長方形板状に形成され、一対の短辺及び一対の長辺を備え、前記幅広部を備えた係止突部を、前記長辺に対応する位置に設けた前記リブにおける長辺の中央部又は長辺の中央付近に設けた。
【０００９】
請求項５に記載の発明は、請求項３又は請求項４に記載の発明において、前記複数の係止突部のうち少なくとも一つの係止突部には、その先端面と前記ハウジング側の側面とがなす角部に円弧面又は面取り状の斜面が設けられている。
【００１０】
請求項６に記載の発明は、請求項１乃至請求項５のうちいずれか１項に記載の照明装置のケースと、該照明装置のケースの内部に配置された発光体とを備えた。
（作用）
請求項１に記載の発明によれば以下に示す作用を得る。この照明装置のケースは、平板状のレンズを用いているため、例えば突出状態となるように湾曲したレンズを用いた照明装置のケースに比して薄型に構成することが可能となる。しかも、平板状のレンズの外周にはリブが設けられているため、強度を維持することが可能となる。
【００１１】
請求項２に記載の発明によれば、請求項１に記載の発明の作用に加えて以下に示す作用を得る。レンズの各係止突部をそれぞれ対応する枠体の係止部に係止させることにより、枠体からレンズが外れることを抑制する。このため、レンズと枠体との連結が強固となり、この結果、照明装置のケースの剛性を向上させることが可能となる。
【００１２】
請求項３に記載の発明によれば、請求項２に記載の発明の作用に加えて以下に示す作用を得る。貫通孔から係止突部が抜けない限り、レンズが枠体から外れない。係止突部の先端部である幅広部が、貫通孔周縁部に係止していることにより、貫通孔から係止突部が抜けにくくなっている。即ち、係止突部の先端部が幅広部とされていることにより、係止突部の先端部が幅広部とされていない場合に比して、レンズが枠体から外れてしまうことを抑制することが可能となる。この照明装置のケースは、レンズが枠体から外れにくく構成されているため、レンズが枠体から外れやすく構成されている照明装置のケースに比して、剛性を高めることが可能となる。言い換えると、この照明装置のケースは、係止突部の先端部が幅広部とされていることにより、係止突部の先端部が幅広部とされていない照明装置のケースに比して厚みを薄く構成しても剛性の低下を抑制することができる。よって、係止突部の先端部が幅広部とされていることにより、照明装置のケースの薄型化が可能となる。
【００１３】
請求項４に記載の発明によれば、請求項３に記載の発明の作用に加えて以下に示す作用を得る。レンズの長辺に対応した部分では、レンズの短辺に対応した部分と比べて、照明装置のケースに曲げ作用が生じた場合に、レンズと枠体とが離間してしまう量が多くなる。そのため、レンズの長辺に対応する位置に設けたリブにおける長辺の中央部又は長辺の中央付近に、幅広部を備えた係止突部を設けることにより、上記のようなレンズの長辺に対応した部分におけるレンズと枠体との離間量を抑制することが可能となる。よって、レンズと枠体との連結がよりいっそう強固となり、この結果、照明装置のケースの剛性を向上させることが可能となる。
【００１４】
請求項５に記載の発明によれば、請求項３又は請求項４に記載の発明の作用に加えて以下に示す作用を得る。該枠体にレンズを装着させる際に、円弧面又は斜面を枠体に摺接させると、容易に装着することが可能となる。
【００１５】
請求項６に記載の発明によれば、請求項１乃至請求項５のうちいずれか１項に記載の作用を有する照明装置を構成することが可能となる。
【発明の効果】
【００１６】
本発明によれば、レンズの強度を維持すると共に薄型化できる。
【発明を実施するための最良の形態】
【００１７】
以下、本発明を車両用の照明装置に具体化した一実施形態を図１〜図１１に従って説明する。
図１（ａ）は、本実施形態の照明装置１１の正面図であり、図１（ｂ）は、照明装置１１の側面図である。
【００１８】
図２に示すように、照明装置１１は、ケース１２、板状をなす平面型放電管１３、押さえ具１４、回路ユニット１５、操作ツマミ１６を備えている。平面型放電管１３は、発光体に相当する。ケース１２は、厚さが薄い略長方形箱状に形成されている。ケース１２は、ハウジング１７と、該ハウジング１７に凹凸の関係で取り付けられるグローブ１８とを備えている。ハウジング１７は、合成樹脂にて形成され、かつ光を通さない材質とされている。ハウジング１７は、平面視略長方形状の底部２１と、その底部２１の四辺に一体に形成された外側壁２２，２３，２４，２５を備えている。言い換えると、ハウジング１７は、底部２１を有し、底部２１とは反対側に開口部を有した箱状に形成されている。
【００１９】
グローブ１８は、長方形枠状をなす枠体２６と、その枠体２６の枠内に凹凸の関係で取り付けられたレンズ２７とを備えている。枠体２６は、合成樹脂にて形成され、かつ光を通さない材質とされている。レンズ２７は、略長方形板状（平板状）をなすように形成され、かつ透光性を備えた合成樹脂にて形成されている。
【００２０】
図５に示すように、枠体２６は、略長方形枠状の底部３１と、その底部３１の四辺に一体に形成された外側壁３２，３３，３４，３５を備えている。即ち、グローブ１８の底部は、枠体２６の底部３１とレンズ２７とにより構成されている。また、枠体２６の外側壁３２〜３５は、グローブ１８の各外側壁にも相当する。言い換えると、グローブ１８は、底部３１を有し、底部３１とは反対側に開口部を有した箱状に形成されている。
【００２１】
図３（ａ）、図７及び図１１に示すように、レンズ２７の内底面には、複数の四角錐状の窪部２７ａが互いに隙間無く形成されている。この窪部２７ａは、レンズ２７において、平面型放電管１３と対向する部分全体に亘って形成されている。この複数の窪部２７ａが形成されたレンズ２７は、照明装置１１内から照明装置１１外へ向けて透過する光を散乱させる光散乱性を備えている。
【００２２】
図３（ａ）に示すように、ハウジング１７は、グローブ１８に対して凹凸の関係で取り付けられており、この結果、外側壁２２〜２５と外側壁３２〜３５とがそれぞれ対応するように突き合わされている。なお、図３（ａ）では、外側壁２２と外側壁３２との突き合わせ状態、外側壁２４と外側壁３４との突き合わせ状態のみ示している。ハウジング１７とグローブ１８とがなす空間内には、平面型放電管１３、押さえ具１４、回路ユニット１５、操作ツマミ１６が配置されている。平面型放電管１３と回路ユニット１５は、図３（ａ）において左右方向に隣り合うようにして配置されている。即ち、回路ユニット１５は、平面型放電管１３を基準としてケース１２の厚さ方向Ｔと直交する方向側に配置されている。
【００２３】
図２に示すように、回路ユニット１５は、回路基板４０、トランス４１、コネクタ４２、スライドスイッチ４３を備えている。トランス４１、コネクタ４２、及びスライドスイッチ４３は、回路基板４０のグローブ１８側の面（以下、載置面４０ａという）に搭載されている。詳しく図示はしないが、コネクタ４２は、電線４４（図２及び図３（ｂ）参照）を介して平面型放電管１３と電気的に接続されている。
【００２４】
スライドスイッチ４３は、回路基板４０に固定された本体部４３ａと、本体部４３ａに対してスライド移動可能な可動部４３ｂとを備えている。可動部４３ｂには、操作ツマミ１６が固定されている。操作ツマミ１６は、操作部１６ａを備えている。操作部１６ａは、枠体２６に形成された透孔２６ａを介して照明装置１１外へ露出されており、ユーザによってスライド操作可能とされている。
【００２５】
この回路ユニット１５は、照明装置１１外から供給された電力を、平面型放電管１３へ供給制御するためのものである。照明装置１１は、操作部１６ａの位置（スライド位置）に応じて、平面型放電管１３を点灯させたり消灯させたりするようになっている。また、照明装置１１は、操作部１６ａの位置によっては、車両のドアが開いた際に平面型放電管１３を点灯させ、そのドアが閉じた際に該平面型放電管１３を消灯するようになっている。
【００２６】
平面型放電管１３は、公知の平面型放電管である。その構造を簡単に説明すると、図３（ｂ）に示すように、平面型放電管１３は、第１ガラス基板５０、第２ガラス基板５１、両ガラス基板５０，５１の周縁部に固定されると共に両ガラス基板５０，５１の離間距離を保つためのガラス材５２を備えている。両ガラス基板５０，５１及びガラス材５２にて密閉された空間である放電空間Ｋには、キセノンまたはネオン等の不活性ガスが封入されている。両ガラス基板５０，５１は互いに対向する面に蛍光体膜５３，５４がそれぞれ形成されている。両ガラス基板５０，５１は蛍光体膜５３，５４が形成された面とは反対側の面に透明電極５５，５６がそれぞれ形成されている。透明電極５５，５６の外面には、導電体５７，５８がそれぞれ取り付けられており、その導電体５７，５８の外面には、前記電線４４がそれぞれハンダ付けにより固定されている。また、透明電極５５及び導電体５７の外面には、反射膜５９が形成されている。
【００２７】
このように構成された平面型放電管１３は、回路ユニット１５によって両透明電極５５，５６間に高電圧が印加されると、両透明電極５５，５６間の放電により放電空間Ｋ内にて紫外線を発生する。この紫外線は蛍光体膜５４を透過することにより可視光に変換され、その可視光は第２ガラス基板５１及び透明電極５６を透過することにより照明光となる。また、蛍光体膜５３を透過した紫外線は可視光に変換され、その可視光は第１ガラス基板５０及び透明電極５５を透過する。そして、その可視光は、反射膜５９にて反射され、透明電極５５、第１ガラス基板５０、蛍光体膜５３、放電空間Ｋ、蛍光体膜５４、第２ガラス基板５１、透明電極５６を透過して照明光となる。
【００２８】
即ち、平面型放電管１３は、そのグローブ１８側の面（以下、表面１３ａという）が発光し、その底部２１側の面（以下、裏面１３ｂという）が発光しないように構成されている。
【００２９】
次に、枠体２６とレンズ２７との凹凸の関係での取付構造について詳述する。
図４及び図５に示すように、枠体２６には、レンズ２７と当接する内側壁６２，６３，６４，６５が一体に形成されている。内側壁６２〜６５は、底部３１からハウジング１７へ向かって延びるように形成されている。内側壁６２〜６５の先端には、当接部６６が一体に形成されている。当接部６６は、内側壁６２〜６５の各先端からそれぞれ内方へ向かって延びるように形成されている。内側壁６２，６３，６４，６５は、外側壁３２，３３，３４，３５にそれぞれ対向するように形成されている。
【００３０】
詳述すると、内側壁６２はケース１２の短手方向Ｓにおける中央部の突出量が小さくなるように形成され、その部分における当接部６６が省略されている。この突出量が小さい内側壁６２は、トランス４１との間隔長さを所定長さとなるようにするために、その突出量が他の部位の内側壁６２に比して小さく設定されている。これは、内側壁６２及び当接部６６にトランス４１から発せられる熱が伝達することを抑制するためである。
【００３１】
一方、図６及び図７に示すように、レンズ２７は、略長方形板状に形成されていることにより、一対の長辺Ｈ１と一対の短辺Ｈ２とを備えている。レンズ２７の各辺（長辺Ｈ１及び短辺Ｈ２）には、リブ７２，７３，７４，７５が一体に形成されている。リブ７３，７５は長辺Ｈ１に対応した位置に形成され、リブ７２，７４は短辺Ｈ２に対応した位置に形成されている。リブ７２〜７５は、レンズ２７からハウジング１７へ向かって延びるように形成されている。リブ７２，７３，７４，７５は、内側壁６２，６３，６４，６５にそれぞれ対向するように形成されている。詳述すると、リブ７２は、内側壁６２における突出量が小さい部位以外の部位に対応するように形成されている。言い換えると、リブ７２〜７５は、レンズ２７の外周の略全周に形成されており、レンズ２７の全周の９３％を占めるように形成されている。
【００３２】
図８に示すように、リブ７２の外側面７２ａには、２つの係止突部７６が突出するように一体に形成されている。両係止突部７６は、四角柱状をなすように形成され、ケース１２における短手方向Ｓにおいて互いに離間するように配置されている。図９（ａ）に示すように、係止突部７６には、その先端面とハウジング１７側の側面とがなす角部に面取り状の斜面７６ａが形成されている。同様に、図８に示すように、リブ７４の外側面７４ａには、２つの係止突部７７が突出するように一体に形成されている。両係止突部７７は、四角柱状をなすように形成され、短手方向Ｓにおいて互いに離間するように配置されている。図９（ｂ）に示すように、係止突部７７には、その先端面とハウジング１７側の側面とがなす角部に面取り状の斜面７７ａが形成されている。
【００３３】
一方、図８に示すように、リブ７３の外側面７３ａには、３つの係止突部８１，８２，８３が一体に形成されている。係止突部８１，８２，８３は、四角柱状をなすように形成され、ケース１２における長手方向Ｌにおいて互いに離間するように配置されている。係止突部８２は、長手方向Ｌにおいて、係止突部８１，８３の間に位置するように、かつレンズ２７の長辺Ｈ１の中央部に位置するように形成されている。係止突部８２の突出長さは、係止突部８１，８３の突出長さより長くなるように形成されている。図１０（ｃ）に示すように、係止突部８２の先端部は、ハウジング１７とは反対側へ向けて突出するように膨らんだ幅広部８２ａとされている。同様に、図８に示すように、リブ７５の外側面７５ａには、前記３つの係止突部８１，８２，８３と同構成の係止突部８４，８５，８６が一体に形成されている。すなわち、係止突部８５は、長辺Ｈ１の中央部に位置するように形成されている。図１０（ｄ）に示すように、係止突部８５の先端部は、幅広部８２ａと同構成の幅広部８５ａとされている。
【００３４】
図９（ａ）に示すように、内側壁６２のリブ７２側には、両係止突部７６とそれぞれ係合する係止部としての係止段部６２ａが形成されている。その係止段部６２ａに係止突部７６が係止し、図９（ｃ）に示すように、リブ７２の先端面が当接部６６に当接していることにより、レンズ２７のリブ７２が枠体２６に固定されている。
【００３５】
図９（ｂ）に示すように、内側壁６４には、係止突部７７と対向する位置に貫通孔８７が形成されている。貫通孔８７が形成された内側壁６４の貫通孔周縁部６４ａに係止突部７７が係止し、図９（ｄ）に示すように、リブ７４の先端面が当接部６６に当接していることにより、レンズ２７のリブ７４が枠体２６に固定されている。貫通孔周縁部６４ａは、係止部に相当する。
【００３６】
また、図１０（ａ），（ｂ）に示すように、内側壁６３，６５には、係止突部８１（８３），８４（８６）と対向する位置に貫通孔８８（８９），９０（９１）がそれぞれ形成されている。図１０（ａ）に示すように、貫通孔８８（８９）が形成された内側壁６３の貫通孔周縁部６３ａに係止突部８１（８３）が厚さ方向Ｔにおいて係止していることにより、レンズ２７のリブ７３の両側が枠体２６に固定されている。貫通孔周縁部６３ａは、係止部に相当する。図１０（ｂ）に示すように、貫通孔９０（９１）が形成された内側壁６５の貫通孔周縁部６５ａに係止突部８４（８６）が厚さ方向Ｔにおいて係止していることにより、レンズ２７のリブ７４の両側が枠体２６に固定されている。貫通孔周縁部６５ａは、係止部に相当する。
【００３７】
さらには、図１０（ｃ），（ｄ）に示すように、内側壁６３，６５には、係止突部８２，８５と対向する位置に貫通孔９２，９３がそれぞれ形成されている。幅広部８２ａ，８５ａの厚さ方向Ｔにおける長さは、貫通孔９２，９３の厚さ方向Ｔにおける開口長さより長くなるように形成されている。図１０（ｃ）に示すように、貫通孔９２が形成された内側壁６３の貫通孔周縁部６３ｂに係止突部８２の基端部が厚さ方向Ｔにおいて係止していることにより、レンズ２７のリブ７３の中央が枠体２６に固定されている。貫通孔周縁部６３ｂは、係止部に相当する。また、係止突部８２の幅広部８２ａは、貫通孔９２を通り抜けた状態で配置され、かつ貫通孔周縁部６３ｂに対して短手方向Ｓにおいて係止している。図１０（ｄ）に示すように、貫通孔９３が形成された内側壁６５の貫通孔周縁部６５ｂに係止突部８５の基端部が厚さ方向Ｔにおいて係止していることにより、レンズ２７のリブ７４の中央が枠体２６に固定されている。貫通孔周縁部６５ｂは、係止部に相当する。また、係止突部８５の幅広部８５ａは、貫通孔９３を通り抜けた状態で配置され、かつ貫通孔周縁部６５ｂに対して短手方向Ｓにおいて係止している。
【００３８】
次に、枠体２６に対するレンズ２７の取り付け方について説明する。
枠体２６にレンズ２７を取り付ける場合には、図４に示す枠体２６の上方側からレンズ２７を挿入する。図４、図５、及び図８を参照して詳述すると、先ず始めに、レンズ２７の係止突部８４，８５，８６を枠体２６の貫通孔９０，９３，９１にそれぞれ挿入する。次に、レンズ２７の両係止突部７７を枠体２６の両貫通孔８７にそれぞれ挿入する。次に、レンズ２７と枠体２６とを弾性変形させながら、レンズ２７の係止突部８３，８２，８１を枠体２６の貫通孔８９，９２，８８に挿入する。
【００３９】
すると、レンズ２７の両係止突部７６が、底部３１の外底面３１ａ（図４参照）に当接した状態となる。そして、図９（ａ）に示すように、レンズ２７の両係止突部７６を枠体２６の当接部６６（図９（ｃ）参照）へ近づけるように押し込むと、両係止突部７６の斜面７６ａが枠体２６の内側壁６２に摺接することにより、レンズ２７と枠体２６とが弾性変形して両係止突部７６が両係止段部６２ａまでそれぞれ移動する。そして、両係止突部７６が両係止段部６２ａに係止する。
【００４０】
なお、枠体２６にレンズ２７を取り付ける場合には、先ず始めに、レンズ２７の係止突部８１，８２，８３を枠体２６の貫通孔８８，９２，８９にそれぞれ挿入してもよい。さらには、枠体２６にレンズ２７を取り付ける場合には、係止突部７６，７７，８１〜８６のうち斜面７７ａを有する係止突部７７を最後に貫通孔８７に挿入するようにしてもよい。
【００４１】
従って、本実施形態によれば、以下のような作用・効果を得ることができる。
（１）ケース１２は、平板状のレンズ２７を用いているため、例えば突出状態となるように湾曲したレンズを用いたケースに比して薄型に構成することが可能となる。しかも、平板状のレンズ２７の外周にはリブ７２〜７５が一体に形成されているため、強度を維持することができる。
【００４２】
（２）厚さ方向Ｔにおいて、レンズ２７の係止突部７６，７７，８１〜８６を、枠体２６の対応する係止部（係止段部６２ａ、貫通孔周縁部６３ａ，６３ｂ，６４ａ，６５ａ，６５ｂ）に係止させることにより、枠体２６からレンズ２７が外れることを抑制できる。このため、レンズ２７と枠体２６との連結が強固となり、この結果、ケース１２の剛性を向上させることができる。
【００４３】
（３）係止突部８２，８５の幅広部８２ａ，８５ａの厚さ方向Ｔにおける長さは、枠体２６の貫通孔９２，９３の厚さ方向Ｔにおける開口長さより長くなるように形成した。そのため、貫通孔９２，９３から係止突部８２，８５が抜けない限り、レンズ２７が枠体２６から外れない。係止突部８２，８５の先端部である幅広部８２ａ，８５ａが、貫通孔周縁部６３ｂ，６５ｂに係止していることにより、貫通孔９２，９３から係止突部８２，８５が抜けにくくなっている。即ち、係止突部８２，８５の先端部が幅広部８２ａ，８５ａとされていることにより、係止突部８２，８５の先端部が幅広部８２ａ，８５ａとされていない場合に比して、レンズ２７が枠体２６から外れてしまうことを抑制することができる。
【００４４】
このケース１２は、レンズ２７が枠体２６から外れにくく構成されているため、例えば、レンズ２７が枠体２６から外れやすく構成されている照明装置のケースに比して、剛性を高めることが可能となる。言い換えると、このケース１２は、係止突部８２，８５の先端部が幅広部８２ａ，８５ａとされていることにより、係止突部８２，８５の先端部が幅広部８２ａ，８５ａとされていない照明装置のケースに比して厚みを薄く構成しても剛性の低下を抑制することができる。よって、係止突部８２，８５の先端部が幅広部８２ａ，８５ａとされていることにより、ケース１２を薄型化することができる。
【００４５】
（４）レンズ２７の長辺Ｈ１には、リブ７３，７５を形成した。リブ７３，７５の長辺Ｈ１の中央部に位置するように、幅広部８２ａ，８５ａを備えた係止突部８２，８５をそれぞれ形成した。
【００４６】
レンズ２７の長辺Ｈ１に対応した部分では、レンズ２７の短辺Ｈ２に対応した部分と比べて、ケース１２に曲げ作用が生じた場合に、レンズ２７と枠体２６とが離間してしまう量が多くなる。そのため、レンズ２７の長辺Ｈ１に対応する位置に形成したリブ７３，７５における長辺Ｈ１の中央部に、幅広部８２ａ，８５ａを備えた係止突部８２，８５を形成することにより、上記のようなレンズ２７の長辺Ｈ１に対応した部分におけるレンズ２７と枠体２６との離間量を抑制することが可能となる。よって、レンズ２７と枠体２６との連結がよりいっそう強固となり、この結果、ケース１２の剛性を向上させることができる。また、ビス止めなどにてレンズ２７を枠体２６に固定する必要がないため、ケース１２の部品点数を削減できる。
【００４７】
（５）枠体２６にレンズ２７を取り付ける場合に、係止突部７６，７７，８１〜８６のうち斜面７６ａを有する係止突部７６を最後に係止段部６２ａに係止させる場合に、係止突部７６の斜面７６ａが枠体２６に摺接させることにより、容易にレンズ２７を枠体２６に装着することができる。
【００４８】
（６）リブ７２〜７５は、レンズ２７の全周の９３％を占めるように形成した。このため、平板状をなすレンズ２７の強度を好適に維持することができる。
（７）枠体２６の内側壁６２は、短手方向Ｓにおける中央部の突出量が小さくなるように形成し、その部分における当接部６６を省略した。レンズ２７のリブ７２は、内側壁６２における突出量が小さい部位以外の部位に対応するように形成した。このように、内側壁６２、当接部６６、リブ７２を形成することにより、トランス４１から発せられる熱が内側壁６２、当接部６６、リブ７２に伝達することを抑制できる。
【００４９】
（８）照明装置１１は、上記（１）〜（７）の作用・効果を有するケース１２に、平面型放電管１３及び回路ユニット１５を収容したため、その装置自体を薄型化できる。
なお、前記実施形態は、以下の態様に変更してもよい。
【００５０】
・前記実施形態では、平面型放電管１３を用いて照明装置１１を構成していた。これに限らず、公知の円柱状をなす蛍光管を用いて照明装置１１を構成してもよい。蛍光管は発光体に相当する。また、有機ＥＬ(electro-luminescence)製の板状の発光体を用いて照明装置１１を構成してもよい。
【００５１】
・前記実施形態では、リブ７２〜７５は、レンズ２７の全周の９３％を占めるように形成していた。これに限らず、リブ７２〜７５を、レンズ２７の全周の８０％以上でかつ１００％以下を占めるように形成してもよい。レンズ２７の全周の８０％以上を占めるようにリブ７２〜７５を形成すると、他の部品との配置関係での干渉を防ぐことができ、かつレンズ２７の強度を確保できる。また、レンズ２７の全周の１００％を占めるようにリブ７２〜７５を形成すると、レンズ２７の強度を最も確保できる。
【００５２】
・前記実施形態では、係止突部７６，７７には、その先端面とハウジング１７側の側面とがなす角部に面取り状の斜面７６ａ，７７ａをそれぞれ形成していた。これに限らず、係止突部７６，７７には、その先端面とハウジング１７側の側面とがなす角部に円弧面を形成してもよい。このように構成しても斜面７６ａ，７７ａと同様の効果を得ることができる。
【００５３】
・前記実施形態では、係止突部７６，７７に斜面７６ａ，７７ａを形成していた。これに限らず、係止突部７６，７７，８１〜８６のうち少なくとも一つに前記斜面７６ａと同様の斜面を形成してもよい。
【００５４】
・前記実施形態では、係止突部８２を、レンズ２７の長辺Ｈ１の中央部に位置するように形成していた。これに限らず、係止突部８２を、レンズ２７の長辺Ｈ１の中央付近に位置するように形成してもよい。
【００５５】
・前記実施形態では、係止突部８２，８５の先端部に、幅広部８２ａ，８５ａを形成していた。これに限らず、係止突部７７，８１〜８６のうち少なくとも一つの先端部に幅広部を形成するようにレンズ２７を構成してもよい。
【００５６】
・前記実施形態では、幅広部８５ａ（８２ａ）は、図１０（ｄ）に示すように、係止突部８５（８２）の先端部からハウジング１７とは反対側へ向けて突出するように形成していた。これに限らず、図１２（ａ）に示すように、幅広部９５を、係止突部８５（８２）の先端部からハウジング１７へ向けて突出するように形成してもよい。また、図１２（ｂ）に示すように幅広部９６を係止突部８５（８２）の先端部から厚さ方向Ｔの両側へ向けて突出するように形成してもよい。
【００５７】
・前記実施形態では、レンズ２７を略長方形板状に形成していたが、長方形板状、多角形板状、円盤状等に形成してもよい。
・前記実施形態では、レンズ２７の各辺（長辺Ｈ１及び短辺Ｈ２）からハウジング１７へ向かって延びるようにリブ７２〜７５を一体に形成していた。これに限らず、レンズ２７の各辺（長辺Ｈ１及び短辺Ｈ２）からハウジング１７とは反対側へ向かって延びるようにリブ７２〜７５を一体に形成してもよい。また、リブ７２〜７５の厚さ方向Ｔの中央部とレンズ２７とを一体に形成してもよい。このように構成しても、平板状のレンズ２７の強度を維持することができる。
【００５８】
・前記実施形態では、照明装置１１を、車両用の照明装置として具体化していたが、これに限らず、建物の屋内用照明装置または屋外用照明装置、街路用照明装置、卓上照明装置、照明看板等に具体化してもよい。
【００５９】
次に、上記実施形態及びその態様の変更から把握できる技術的思想について以下に追記する。
（イ）前記リブは、前記レンズの全周における８０％以上でかつ１００％以下に対応するように設けられていることを特徴とする請求項１に記載の照明装置のケース。レンズの全周における８０％以上でかつ１００％以下に対応する位置にリブが設けられているため、平板状をなすレンズの強度を好適に維持することが可能となる。
【図面の簡単な説明】
【００６０】
【図１】（ａ）は、本実施形態の照明装置の正面図。（ｂ）は、本実施形態の照明装置の側面図。
【図２】本実施形態の照明装置の分解斜視図。
【図３】（ａ）は、図１（ａ）のＡ−Ａ線矢視断面図。（ｂ）は、本実施形態の平面型放電管の原理を示す概略説明図。
【図４】本実施形態の枠体の外面側を示す斜視図。
【図５】本実施形態の枠体の内面側を示す斜視図。
【図６】本実施形態のレンズの外面側を示す斜視図。
【図７】本実施形態のレンズの内面側を示す斜視図。
【図８】本実施形態のレンズの外面側を示す平面図。
【図９】（ａ），（ｂ）は、図８のＢ−Ｂ線矢視に対応したグローブの部分断面図。（ｃ），（ｄ）は、図８のＣ−Ｃ線矢視に対応したグローブの部分断面図。
【図１０】（ａ），（ｂ）は、図８のＤ−Ｄ線矢視に対応したグローブの部分断面図。（ｃ），（ｄ）は、図８のＥ−Ｅ線矢視に対応したグローブの部分断面図。
【図１１】レンズの内底面に形成された複数の四角錐状の窪部を示す部分拡大図。
【図１２】（ａ），（ｂ）は、図８のＥ−Ｅ線矢視に対応した図であり、態様の変更におけるグローブの部分断面図。
【符号の説明】
【００６１】
１１…照明装置、１２…ケース、１３…発光体としての平面型放電管、１７…ハウジング、２６…枠体、２７…レンズ、６２，６３，６４，６５…内側壁、６２ａ…係止部としての係止段部、６３ａ，６３ｂ，６４ａ，６５ａ，６５ｂ…係止部としての貫通孔周縁部、７２，７３，７４，７５…リブ、７２ａ，７３ａ，７４ａ，７５ａ…リブの外側面、７６，７７，８１，８２，８３，８４，８５，８６…係止突部、７６ａ，７７ａ…斜面、８２ａ，８５ａ，９５，９６…幅広部、８７，８８，８９，９０，９１，９２，９３…貫通孔、Ｈ１…長辺、Ｈ２…短辺。
【図１】
2006114393.tif 000003
【図２】
2006114393.tif 000004
【図３】
2006114393.tif 000005
【図４】
2006114393.tif 000006
【図５】
2006114393.tif 000007
【図６】
2006114393.tif 000008
【図７】
2006114393.tif 000009
【図８】
2006114393.tif 000010
【図９】
2006114393.tif 000011
【図１０】
2006114393.tif 000012
【図１１】
2006114393.tif 000013
【図１２】
2006114393.tif 000014